(57)【要約】【課題】作業者によるフィールド機器の指示値の読み取り間違いや、携帯情報端末への誤入力を防ぐ。【解決手段】フィールドデータ収集システムは、プラントのフィールド機器の識別情報を保持し当該フィールド機器に設けられた識別情報保持体と、フィールド機器の指示計の指示値認識設定情報を記憶した指示値認識設定データベースと、作業者が用いる点検用の携帯情報端末とを備える。携帯情報端末は、識別情報保持体から識別情報を読み取る識別情報取得部と、指示値認識設定データベースから識別情報に関連づけられた指示値認識設定情報を読み出す認識設定情報取得部と、フィールド機器の指示計を撮像するカメラと、指示値認識設定情報を利用して、取得したカメラの撮像画像から指示計の指示値を読み取る指示値読取部と、読み取った指示値を識別情報に関連付けて記憶する指示値記憶部とを有する。【選択図】図１
2018106389.tif 000002
【特許請求の範囲】
【請求項１】
プラントに設けられたフィールド機器に固有の識別情報を保持し、当該フィールド機器又はその近傍に設けられた識別情報保持体と、
前記フィールド機器の指示計の仕様情報と前記指示計の撮像画像に対する画像補正情報とを含む指示値認識設定情報を前記識別情報に関連付けて記憶した指示値認識設定データベースと、
前記フィールド機器の点検の際に作業者が用いる点検用の携帯情報端末とを備え、
前記携帯情報端末が、
前記識別情報保持体から前記識別情報を読み取る識別情報取得部と、
読み取った前記識別情報に基づいて、前記指示値認識設定データベースから前記識別情報に関連付けられた指示値認識設定情報を読み出す認識設定情報取得部と、
前記指示計を撮像するカメラと、
前記指示値認識設定情報を利用して、取得した前記カメラの撮像画像から前記指示計の指示値を読み取る指示値読取部と、
読み取った前記指示値を表示出力する表示出力部と、
読み取った前記指示値を前記識別情報に関連付けて記憶する指示値記憶部とを有する、
フィールドデータ収集システム。
【請求項２】
前記携帯情報端末と通信可能に接続されたプラントサーバを備え、
前記プラントサーバが、
前記指示値記憶部に記憶された情報を前記携帯情報端末から取得して、前記フィールド機器の点検記録情報を作成する点検記録作成部と、
生成した前記点検記録情報を記憶する点検記録データベースとを有する、
請求項１に記載のフィールドデータ収集システム。
【請求項３】
前記携帯情報端末が、前記プラント内の複数の検針箇所のうち、前記指示値記憶部への前記指示値への記憶があるものが第１の表示で示され、余が第２の表示で示された、検針作業支援画面を前記表示出力部に表示出力する検針作業支援部を、更に有する、
請求項１又は２に記載のフィールドデータ収集システム。
【発明の詳細な説明】
【技術分野】
【０００１】
本発明は、各種プラントのフィールドデータを収集するシステムに関する。
【背景技術】
【０００２】
従来、各種プラントには、圧力計、流量計、温度計などのセンサ類、圧力制御弁、流量制御弁などのバルブ類、ポンプ、ブロワ、ファン、モータ、アクチュエータなどの機器類を含む多種且つ多数のフィールド機器が設けられている。それらのフィールド機器の指示値や運転データなどを、以下では、「フィールドデータ」と称する。フィールド機器のうちプラントの運転監視に最低限必要なフィールドデータを提供するものは制御装置と通信可能に接続されており、当該フィールド機器から制御装置へフィールドデータが自動的に送信される。その他のフィールド機器のフィールドデータは、定期的に巡回する保守管理作業者が目視で指示値等を読み取って点検簿へ手書きで記録し、別途分析して保守に利用している。しかし、この点検簿は、書面で管理され、検索性が悪く、記録されたフィールドデータをプラントの監視や制御のために二次的利用することが困難であった。
【０００３】
そこで、プラントのフィールドデータを電子的に管理するための技術が、特許文献１で提案されている。特許文献１に記載の計器保守管理システムは、計器の保守管理作業者が操作する点検用端末と、プラントの管理者が利用する管理端末と、点検用端末及び管理端末と通信可能に接続されたプラントサーバとを備えている。この計器保守管理システムでは、作業者が計器の点検データを点検用端末に入力し、入力された点検データが点検用端末からプラントサーバに送信され、プラントサーバでは受け付けた点検データが計器の点検に必要なデータに対応付けてデータベースに格納される。
【先行技術文献】
【特許文献】
【０００４】
【特許文献１】特開２０１１−１９８０８６号公報
【発明の概要】
【発明が解決しようとする課題】
【０００５】
しかし、上記特許文献１の計器保守管理システムでは、点検用端末への点検データの入力は作業者によって行われ、作業者による値の読み取り間違いや、点検用端末への誤入力などのおそれがある。そのため、管理端末の管理者が、点検用端末から入力された点検データが正しいと承認したうえで、データベースの更新が行うという煩雑な処理を行わなければならない。
【０００６】
本発明は以上の事情に鑑みてされたものであり、その目的は、作業者によるフィールド機器の指示値の読み取り間違いや、作業者による情報端末への誤入力などの課題が解消され得る、フィールドデータ収集システムを提供することにある。
【課題を解決するための手段】
【０００７】
本発明の一態様に係るフィールドデータ収集システムは、プラントに設けられたフィールド機器に固有の識別情報を保持し、当該フィールド機器又はその近傍に設けられた識別情報保持体と、前記フィールド機器の指示計の仕様情報と前記指示計の撮像画像に対する画像補正情報とを含む指示値認識設定情報を前記識別情報に関連付けて記憶した指示値認識設定データベースと、前記フィールド機器の点検の際に作業者が用いる点検用の携帯情報端末とを備えている。そして、前記携帯情報端末が、前記識別情報保持体から前記識別情報を読み取る識別情報取得部と、読み取った前記識別情報に基づいて、前記指示値認識設定データベースから前記識別情報に関連付けられた指示値認識設定情報を読み出す認識設定情報取得部と、前記指示計を撮像するカメラと、前記指示値認識設定情報を利用して、取得した前記カメラの撮像画像から前記指示計の指示値を読み取る指示値読取部と、読み取った前記指示値を表示出力する表示出力部と、読み取った前記指示値を前記識別情報に関連付けて記憶する指示値記憶部とを有することを特徴としている。
【０００８】
上記フィールドデータ収集システムでは、携帯情報端末が指示計の指示値（フィールドデータ）の読み取りと記憶とを行う。よって、作業者による指示値の読み取り間違いや、情報端末への指示値の誤入力などの従来の課題が解消される。
【０００９】
上記フィールドデータ収集システムが、前記携帯情報端末と通信可能に接続されたプラントサーバを備え、前記プラントサーバが、前記指示値記憶部に記憶された情報を前記携帯情報端末から取得して、前記フィールド機器の点検記録情報を作成する点検記録作成部と、生成した前記点検記録情報を記憶する点検記録データベースとを有していてよい。
【００１０】
携帯情報端末で収集された指示値がプラントサーバに集められることによって、収集された指示値を一元的に管理したり、指示値を二次的利用したりすることが可能となる。
【００１１】
上記フィールドデータ収集システムにおいて、前記携帯情報端末が、前記プラント内の複数の検針箇所のうち、前記指示値記憶部への前記指示値への記憶があるものが第１の表示で示され、余が第２の表示で示された、検針作業支援画面を前記表示出力部に表示出力する検針作業支援部を、更に有していてよい。
【００１２】
このように、携帯情報端末に検針作業支援画面が表示されることによって、作業者は計画された順序でフィールドデータを収集することができ、作業者が介在することによる読み間違い、ごまかし、見落としを排除することができる。
【発明の効果】
【００１３】
本発明によれば、作業者によるフィールド機器の指示値の読み取り間違いや、携帯情報端末への誤入力などの課題が解消され得る、フィールドデータ収集システムを提供することができる。
【図面の簡単な説明】
【００１４】
【図１】図１は、本発明の一実施形態に係るフィールドデータ収集システムの概略構成を示す図である。
【図２】図２は、携帯情報端末によるフィールドデータ収集処理の流れ図である。
【図３】図３は、検針作業支援画面の一例を示す図である。
【図４】図４は、撮影ガイド画面の一例を示す図である。
【図５】図５は、読取結果画面の一例を示す図である。
【発明を実施するための形態】
【００１５】
〔フィールドデータ収集システム１の概要〕
図１は、本発明の一実施形態に係るフィールドデータ収集システム１の概略構成を示す図である。図１に示すフィールドデータ収集システム１は、複数のフィールド機器６を備えたプラントにおいて、それらのフィールド機器６からフィールドデータを収集するシステムである。なお、図１では、複数のフィールド機器６のうちの１つが例示されている。
【００１６】
複数のフィールド機器６には、圧力計、流量計、温度計などのセンサ類、圧力制御弁、流量制御弁などのバルブ類、ポンプ、ブロワ、ファン、モータ、アクチュエータなどの機器類を含む多種且つ多数の機器が含まれていてよい。各フィールド機器６は、計測値や運転状態を示す少なくとも１つの指示計６１（指示計器）を備えている。指示計６１には、デジタル表示式のものや、アナログ表示式のものがある。フィールドデータ収集システム１では、それらの指示計６１の指示値（「フィールドデータ」と称する）を、デジタルデータとして収集する。
【００１７】
フィールド機器６には、そのフィールド機器６に固有の識別情報を保持する識別情報保持体６２が設けられている。識別情報保持体６２は、フィールド機器６の指示計６１に近接し、且つ、検針作業の作業者から見てフィールド機器６の正面に設けられていることが望ましい。但し、識別情報保持体６２は、フィールド機器６の形状や設置状況によってフィールド機器６に設けることが困難である場合には、フィールド機器６と関連が認識できるように当該フィールド機器６の近傍（例えば、フィールド機器６の指示計６１から半径３ｍ以内）に設けられていてもよい。
【００１８】
識別情報保持体６２は、例えば、２次元バーコードが印字されたシールであってよい。この場合、後述する識別情報取得部５５は、その２次元バーコードを読み取るバーコードリーダー（カメラ５１を含む）である。
【００１９】
また、識別情報保持体６２は、例えば、近接場型の無線通信（非接触通信）用のＩＣタグであってよい。この場合、後述する識別情報取得部５５は、そのＩＣタグに記憶された情報を読み取るＩＣタグリーダーである。但し、識別情報保持体６２は、上記に例示されたものに限定されず、フィールド機器６に後付け可能な情報媒体であればよい。
【００２０】
本実施形態に係るフィールドデータ収集システム１は、プラントに設置されたプラントサーバ２と、プラントサーバ２と通信ネットワーク１０を介して接続された監視サーバ３と、保守管理作業者がフィールド機器６の点検（即ち、指示計６１の検針）に用いる携帯情報端末５と、フィールド機器６に設けられた前述の識別情報保持体６２とを備えている。携帯情報端末５は、状況によって、プラントサーバ２と情報を送受信可能に接続される。
【００２１】
プラントサーバ２、監視サーバ３、及び携帯情報端末５は、いわゆるコンピュータであって、ＣＰＵ等の演算処理部と、ＲＯＭ、ＲＡＭ等の記憶部を各々に有している（いずれも図示略）。記憶部には、演算処理部が実行する制御プログラムや、各種固定データ等が記憶されている。演算処理部は、外部装置とデータの送受信を行う。また、演算処理部は、各種センサからの検出信号の入力や各制御対象への制御信号の出力を行う。演算処理部では、記憶部に記憶されたプログラム等のソフトウェアを演算処理部が読み出して実行することにより、端末又はサーバの持つ機能を発揮するための処理が行われる。
【００２２】
〔携帯情報端末５の構成〕
携帯情報端末５は、カメラ５１、入力部５２及び表示出力部５３としてのタッチ式パネル、並びに、記憶装置５４を一体的に備えた携帯型の情報端末である。
【００２３】
カメラ５１は、例えば、ＣＣＤカメラなどのデジタルカメラであって、被写体を撮像してそのデジタル画像を得ることができる。作業者は、携帯情報端末５を操作して、カメラ５１でフィールド機器６の指示計６１や識別情報保持体６２を撮像する。
【００２４】
この携帯情報端末５では、タッチ式パネルに入力部５２及び表示出力部５３としての機能を併せ備えている。但し、携帯情報端末５に、入力部５２と表示出力部５３とが独立して設けられていてもよい。
【００２５】
記憶装置５４には、携帯情報端末５で取得した指示値を記憶する指示値記憶部５４１や、携帯情報端末５で取得した撮像画像を記憶する画像記憶部５４２などが設けられている。記憶装置５４は、携帯情報端末５の本体から着脱可能な記憶媒体であってもよい。
【００２６】
携帯情報端末５は、更に、識別情報取得部５５、認識設定情報取得部５６、指示値読取部５７、検針作業支援部５８などの機能部を備えている。携帯情報端末５は、携帯情報端末５の演算処理部が予めインストールされたプログラムを実行することにより、上記機能部として処理を行う。
【００２７】
識別情報取得部５５は、フィールド機器６に設けられた識別情報保持体６２から識別情報を読み出して取得する。識別情報取得部５５は、識別情報保持体６２と対応しており、識別情報保持体６２の持つ識別情報を読み取るリーダーである。
【００２８】
認識設定情報取得部５６は、識別情報取得部５５が取得した識別情報に基づいて、当該識別情報と対応する指示値認識設定情報を指示値認識設定データベース４から読み出して取得する。
【００２９】
指示値読取部５７は、カメラ５１で撮像したフィールド機器６の指示計６１の撮像画像を取得し、指示値認識設定情報を利用して撮像画像を画像処理することにより、指示計６１の指示値を読み取る。指示値読取部５７は、デジタル表示式及びアナログ表示式の指示計６１の指示値を読み取ることができる。なお、指示計６１のデジタル画像から、その指示値を読み出す手法（プログラム）は公知であり、公知の技術に基づいて指示値読取部５７を構成することができる。
【００３０】
検針作業支援部５８は、保守管理作業者の検針作業を支援するために、携帯情報端末５の表示出力部５３に検針作業支援画面７１（図３、参照）を表示させる。検針作業支援画面７１には、計画された検針箇所と、巡回ルートとが示されたプラントのマップが含まれている。検針箇所のうち、指示値記憶部５４１へ指示値が記憶されたもの（即ち、指示値の取得が済んだもの）は第１の表示で示され、余が第２の表示で示されている。例えば、青と赤のように、第１の表示と第２の表示では表示色が異なっていてよい。また、例えば、四角と丸のように、第１の表示と第２の表示では表示形が異なっていてよい。
【００３１】
〔指示値認識設定データベース４〕
指示値認識設定データベース４は、携帯情報端末５が情報を読み出し可能に接続された記憶装置である。プラントに無線通信可能な環境が整っている場合は、携帯情報端末５は指示値認識設定データベース４と情報の送受信を可能に無線で接続されていてよい。また、プラントに通信環境が整っていない場合には、携帯情報端末５と指示値認識設定データベース４とがインターフェースを介して直接的に、又は、情報の送受信を可能に有線で接続されていてもよい。
【００３２】
指示値認識設定データベース４には、携帯情報端末５の指示値読取部５７が、指示計６１の撮像画像から指示値を読み取るために利用する指示値認識設定情報が、フィールド機器６の識別情報に関連付けられて記憶されている。指示値認識設定情報には、指示計６１の仕様情報と、指示計６１の撮像画像に対する画像補正情報とが、少なくとも含まれている。更に、指示値認識設定情報には、指示計６１の指示値の管理値（正常値の範囲）情報なども、含まれていてもよい。
【００３３】
指示計６１の仕様情報には、アナログ表示式・デジタル表示式の表示方式、アナログ表示式のときは指示計６１の型、目盛領域の色、及び、目盛領域の終始の値などのうち少なくとも１つが含まれていてよい。また、指示計６１の撮像画像に対する画像補正情報には、撮影角度による歪み、距離による大きさの違い、照明などの外乱などのうち少なくとも１つを、画像処理で補正するための情報が含まれていてよい。画像補正情報は、指示計６１の設置状況に起因するので、その指示計６１に固有の情報となり得る。
【００３４】
〔プラントサーバ２の構成〕
プラントサーバ２は、プラントごとに設けられており、プラントの運転に関する情報、具体的には、プラントのフィールド機器６の仕様や運転状態に関する情報を扱う。プラントサーバ２は各プラントに設置されてもよいし、複数のプラントサーバ２が１又は複数の拠点に集約して設置されてもよい。プラントサーバ２には、プラントが備えるフィールド機器６の仕様情報を記憶した機器仕様データベース２１、フィールド機器６の点検記録情報が記憶される点検記録データベース２２が接続されている。更に、プラントサーバ２には、携帯情報端末５の指示値記憶部５４１に記憶された指示値を取得して、フィールド機器６の点検記録情報を作成する点検記録作成部２３が設けられている。点検記録作成部２３で作成された点検記録情報は、点検記録データベース２２に記憶される。
【００３５】
〔監視サーバ３の構成〕
監視サーバ３は、複数のプラントの運転を監視する。監視サーバ３はプラントに設置されていてもよいし、プラントから離れて設置されていてもよい。監視サーバ３へは、プラントサーバ２から定期的に点検記録データベース２２に記録されている点検記録情報が送信される。但し、監視サーバ３が、プラントサーバ２を介して機器仕様データベース２１や点検記録データベース２２に記憶されている情報を定期的に読み出してもよい。
【００３６】
監視サーバ３は、取得した点検記録情報をモデルデータや予め記憶された閾値等と比較することにより、プラントの運転状態の異常を検出する運転監視部３１を備えている。更に、監視サーバ３は、プラントの運転状態の異常が見つかったときに、不具合発生時の点検記録情報を解析したり、不具合発生の原因を推定したりする機能を備えていてもよい。
【００３７】
〔フィールドデータ収集処理の流れ〕
ここで、上記構成のフィールドデータ収集システム１を用いた、フィールドデータ収集処理の流れを説明する。図２は、携帯情報端末５のフィールドデータ収集処理の流れ図である。
【００３８】
図２に示すように、携帯情報端末５は、フィールドデータ収集にあたり、先ず、携帯情報端末５の表示出力部５３に、検針作業支援画面７１を表示する（ステップＳ１）。例えば、図３に示すように、検針作業支援画面７１には、複数の検針箇所及び巡回ルートが示されたプラントのマップと、次の検針箇所に係る情報が示されている。作業者は、巡回ルートに沿って、次の検針箇所に移動する。
【００３９】
検針箇所には、フィールド機器６の指示計６１と、識別情報保持体６２とがある。作業者の操作により、携帯情報端末５は、カメラ５１で識別情報保持体６２を撮像する（ステップＳ２）。なお、この例では、識別情報保持体６２は２次元バーコードである。携帯情報端末５は、識別情報保持体６２の撮像画像を取得し、これを画像処理することにより、識別情報保持体６２が保持する識別情報を読み取る（ステップＳ３）。
【００４０】
携帯情報端末５は、読み取った識別情報に基づいて、その識別情報と関連付けられた指示値認識設定情報を指示値認識設定データベース４から読み出す（ステップＳ４）。
【００４１】
続いて、作業者の操作により、携帯情報端末５は、カメラ５１で指示計６１を撮像する（ステップＳ５）。ここで、携帯情報端末５の表示出力部５３に、読み出した指示値認識設定情報に含まれる指示計６１の表示形式や型に対応して、撮影ガイド画面７２が表示されてもよい。例えば、図４に示すように、撮影ガイド画面７２には、被写体が映し出される枠内に、指示計６１の型に対応したガイドが表示されていてよい。
【００４２】
携帯情報端末５は、指示計６１の撮像画像を取得し、画像記憶部５４２に記憶する（ステップＳ６）。また、携帯情報端末５は、取得した指示計６１の撮像画像を画像処理することにより、指示計６１の指示値を読み取る（ステップＳ７）。ここで、携帯情報端末５は、読み出した指示値認識設定情報を利用する。
【００４３】
指示計６１がデジタル表示式の場合は、携帯情報端末５の指示値読取部５７は、例えば、撮像画像から表示盤の領域を閾値処理によって切り出し、撮影角度による歪みや距離による大きさの違いや照明などの外乱を補正により修正し、表示盤の領域から数字を認識し、その数字を指示値とする。
【００４４】
アナログ表示式の指示計６１には、単針の円型メータ、単針の扇形メータ、複数の指針を有する多針メータ、レベルゲージなどの直線型メータなどの複数の型がある。携帯情報端末５の指示値読取部５７は、指示計６１がアナログ表示式の場合は、例えば、指示計６１の型に基づいて、撮像画像から表示盤の領域を閾値処理によって切り出し、撮影角度による歪みや距離による大きさの違いや照明などの外乱を補正により修正し、表示盤の目盛領域・数字領域・指針を認識し、目盛領域の終始の値及び指針の位置から指示値を算出する。
【００４５】
携帯情報端末５は、読み取った指示値を含む、読取結果画面７３を表示出力部５３に出力する（ステップＳ８）。例えば、図５に示すように、読取結果画面７３には、読み取った指示値を修正するか承認するかの入力を作業者に促す入力部５２と、指示計６１の撮像画像とが表示されていてよい。作業者は、読み取った指示値が、目視で認識した値と合致していれば承認を入力し、合致していなければ修正を入力する。修正が入力されれば（ステップＳ９でＹＥＳ）、携帯情報端末５は、指示値を手入力するかどうかを作業者に問い合わせる画面を表示出力部５３に出力する。作業者が、指示値を手入力しない場合は（ステップＳ１４でＮＯ）、携帯情報端末５は、指示計６１の撮像処理（ステップＳ５）から処理をやり直す。一方、作業者が指示値を手入力する場合は（ステップＳ１４でＹＥＳ）、携帯情報端末５は、表示出力部５３に指示値入力画面を出力させ、作業者が入力部５２を介して入力した入力値を取得する（ステップＳ１５）。
【００４６】
承認が入力されたとき（ステップＳ９でＮＯ）、及び、作業者により指示値が手入力されたとき、携帯情報端末５は、読み取った又は取得した指示値を識別情報及び時刻と関連づけて指示値記憶部５４１に記憶する（ステップＳ１０）。そして、携帯情報端末５は、更新された検針作業支援画面７１を表示出力部５３に出力し（ステップＳ１１）、次の検針箇所を作業者に示す。
【００４７】
以上の処理が、各検針箇所で行われる。プラントの計画された全ての検針箇所で処理が終わると（ステップＳ１２でＹＥＳ）、作業者は、携帯情報端末５とプラントサーバ２とが通信可能な位置まで、携帯情報端末５を移動させる。なお、携帯情報端末５に接続された記憶装置５４が取り外されて、プラントサーバ２に接続されてもよい。そして、携帯情報端末５は、指示値記憶部５４１に記憶された指示値情報をプラントサーバ２へアップロードする（ステップＳ１３）。ここで、指示値情報とともに、画像記憶部５４２の画像情報も、携帯情報端末５からプラントサーバ２へアップロードされてよい。
【００４８】
指示値情報を取得したプラントサーバ２は、指示値情報からフィールド機器６の点検記録情報を作成するか、又は、既存の点検記録情報に追記する。点検記録情報は、例えば、フィールド機器６又は指示計６１ごとに、計測した指示値が時系列に並べられた情報であってよい。プラントサーバ２は、生成した、又は、追記した点検記録情報を、点検記録データベース２２に記憶する。
【００４９】
点検記録データベース２２に記憶された点検記録情報は、定期的に（例えば、２４時間ごとに）、プラントサーバ２から監視サーバ３へ送信される。
【００５０】
監視サーバ３の運転監視部３１では、取得した点検記録情報を解析し、プラントの運転状態の異常を検出する。また、運転監視部３１は、併せて、プラントの将来の運転状態を予測してもよい。運転監視部３１の処理によって、プラントの運転状態の異常が見つかった又は予測されたときには、監視サーバ３からプラントサーバ２へ、警告又は警報が出力される。
【００５１】
以上に説明したように、本実施形態のフィールドデータ収集システム１は、プラントに設けられたフィールド機器６に固有の識別情報を保持し、当該フィールド機器６又はその近傍に設けられた識別情報保持体６２と、フィールド機器６の指示計６１の仕様情報と指示計６１の撮像画像に対する画像補正情報とを含む指示値認識設定情報を識別情報に関連付けて記憶した指示値認識設定データベース４と、フィールド機器６の点検の際に作業者が用いる点検用の携帯情報端末５とを備えている。そして、携帯情報端末５が、識別情報保持体６２から識別情報を読み取る識別情報取得部５５と、読み取った識別情報に基づいて、指示値認識設定データベース４から識別情報に関連付けられた指示値認識設定情報を読み出す認識設定情報取得部５６と、フィールド機器６の指示計６１を撮像するカメラ５１と、指示値認識設定情報を利用して、取得したカメラ５１の撮像画像から指示計６１の指示値を読み取る指示値読取部５７と、読み取った指示値を表示出力する表示出力部５３と、読み取った指示値を識別情報に関連付けて記憶する指示値記憶部５４１とを有することを特徴としている。
【００５２】
上記フィールドデータ収集システム１によれば、携帯情報端末５が指示計６１の指示値の読み取りと記憶とを行う。作業者は、指示計６１の指示値を読み取ったり、記録のために指示値を手入力したりすることがない。よって、作業者による指示値の読み取り間違いや、携帯情報端末への誤入力などの従来の課題が解消される。
【００５３】
また、携帯情報端末５が備えるカメラ５１によって指示計６１の撮像画像を得るので、各指示計６１にそれを撮像する固定カメラを備える場合と比較して、システムの導入コストを削減することができる。
【００５４】
また、データ送信機能のない指示計６１においても、デジタル化された指示値を自動的に取得することができるので、各指示計６１にデータ送信機能を備える場合と比較して、システムの導入コストを削減することができる。
【００５５】
更に、携帯情報端末５が指示計６１の撮像画像から指示値認識設定情報を取得し、それを指示計６１の撮像画像から指示値を読み取る処理に利用するので、指示値の読取精度が向上し、また、作業者が画像を補正する作業が発生しない。よって、作業者の技量に拘わらず、指示計６１の検針作業を正確且つ速やかに行うことができる。
【００５６】
そして、携帯情報端末５がスタンドアロンで各指示計６１の指示値（フィールドデータ）の収集を行うことができるので、電波の届きにくいプラント内においても、フィールドデータ収集作業を行うことができる。
【００５７】
また、上記実施形態に係るフィールドデータ収集システム１は、携帯情報端末５と通信可能に接続されたプラントサーバ２を備えている。そして、プラントサーバ２が、指示値記憶部５４１に記憶された情報を携帯情報端末５から取得して、フィールド機器６の点検記録情報を作成する点検記録作成部２３と、生成した点検記録情報を記憶する点検記録データベース２２とを有している。
【００５８】
このように、携帯情報端末５で収集されたフィールドデータがプラントサーバ２に集められることによって、収集されたフィールドデータを一元的に管理したり、フィールドデータを二次的利用したりすることが可能となる。
【００５９】
なお、上記実施形態ではフィールドデータ収集システム１に１つの携帯情報端末５を備えているが、フィールドデータ収集システム１に複数の携帯情報端末５が備えられていてよい。このように、複数の携帯情報端末５で平行して各指示計６１の指示値（フィールドデータ）を収集することで、検針作業に要する時間を短縮することができる。
【００６０】
また、上記実施形態に係るフィールドデータ収集システム１は、携帯情報端末５が、プラント内の複数の検針箇所のうち、指示値記憶部５４１への指示値への記憶があるものが第１の表示で示され、余が第２の表示で示された、検針作業支援画面７１を表示出力部５３に表示出力する検針作業支援部５８を、更に有している。
【００６１】
このように、携帯情報端末５の表示出力部５３に検針作業支援画面７１が表示されることによって、作業者は計画された順序で検針作業を行うことができ、作業者が介在することによる読み間違いやごまかしを排除することができる。また、検針作業支援画面７１には、指示値記憶部５４１への指示値への記憶があるもの（即ち、指示値の読取処理を終えたもの）とそうでないものとが区別して表示されるので、検針箇所の見落としを防止することができる。
【００６２】
以上に本発明の好適な実施の形態を説明したが、本発明の精神を逸脱しない範囲で、上記実施形態の具体的な構造及び／又は機能の詳細を変更したものも本発明に含まれ得る。上記フィールドデータ収集システム１の構成は、例えば、以下のように変更することができる。
【００６３】
例えば、上記実施形態において、フィールドデータ収集システム１は通信環境の整っていないプラントに適用されているが、通信環境の整ったプラントにフィールドデータ収集システム１を適用させることもできる。この場合、携帯情報端末５は、指示値記憶部５４１に記憶した指示値情報を纏めてプラントサーバ２へアップロードするのではなく、指示値情報を取得するたびにプラントサーバ２へアップロードしてもよい。
【符号の説明】
【００６４】
１      ：フィールドデータ収集システム
２      ：プラントサーバ
３      ：監視サーバ
４      ：指示値認識設定データベース
５      ：携帯情報端末
６      ：フィールド機器
１０    ：通信ネットワーク
２１    ：機器仕様データベース
２２    ：点検記録データベース
２３    ：点検記録作成部
３１    ：運転監視部
５１    ：カメラ
５２    ：入力部
５３    ：表示出力部
５４    ：記憶部
５４１  ：指示値記憶部
５４２  ：画像記憶部
５５    ：識別情報取得部
５６    ：認識設定情報取得部
５７    ：指示値読取部
５８    ：検針作業支援部
６１    ：指示計
６２    ：識別情報保持体
【図１】
2018106389.tif 000003
【図２】
2018106389.tif 000004
【図３】
2018106389.tif 000005
【図４】
2018106389.tif 000006
【図５】
2018106389.tif 000007